(57)【要約】【課題】蒸気タービン排出装置を提供する。【解決手段】本排出装置（１００）は、タービン排出口の下部ディフューザセクション（１５１）から復水器（１４０）に至る第１の排出径路（１８０）と、タービン排気口の上部ディフューザセクション（１５２）から下流半径方向チャネル（１７０）に至って復水器（１４０）に排出する別個の外側排出径路（１９０）とを構成する。【選択図】      図３
2011137460.tif 000002
【特許請求の範囲】
【請求項１】
軸流蒸気タービン排出装置（１００）であって、
複数のタービン段（１１４、１１８）を備えかつ複数の最終段タービンバケット（１１５）から排出フード（１２１）内への軸方向蒸気流路（３５）を構成した内側タービンケーシング（１１６）と、
前記排出フード（１２１）の下方に取付けられたタービン復水器（１４０）と、を含み、
前記排出フード（１２１）が、上部排出フード（１２２）及び下部排出フード（１２３）を含み、
前記排出フード（１２１）が、前記タービン復水器（１４０）への二重排出径路（１８０、１９０）を構成し、
軸受コーン（１４５）及び複数の環状蒸気ガイド（１５６）が、前記二重排出径路（１８０、１９０）を形成し、
前記二重排出径路の第１の排出径路（１８０）が、下部ディフューザセクション（１５１）を通って前記下部排出フード（１２３）に至りかつ次に基本的に下向きに前記復水器（１４０）に至り、
前記上部排出フード（１２２）が、上部ディフューザセクション（１５２）と流体連通状態になっており、
前記排出フード（１２１）の半径方向チャネル（１７０）が、前記上部排出フード（１２２）と流体連通状態になっておりかつ下方の前記タービン復水器（１４０）と流体連通状態になっており、
前記二重排出径路の第２の排出径路（１９０）が、前記上部ディフューザセクション（１５２）を通って前記上部排出フード（１２２）に至り、軸方向下流方向に前記半径方向チャネル（１７０）に至りかつ次に該半径方向チャネル（１７０）通って下流方向に前記タービン復水器（１４０）に至る、
排出装置（１００）。
【請求項２】
前記排出フード（１２１）が、前記上部排出フード（１２２）と前記半径方向チャネル（１７０）との間に仕切り壁（１６５）をさらに含み、
通路（１６１）が、前記仕切り壁（１６５）の外側端部（１６６）と前記排出フード（１２１）の外側壁（１２５）との間に設けられて、前記上部排出フード（１２２）と前記半径方向チャネル（１７０）との間での前記第２の排出径路（１９０）の流体連通を可能にする、
請求項１記載の排出装置（１００）。
【請求項３】
前記半径方向チャネル（１７０）が、上部排出空間（１７１）及び前記タービン復水器（１４０）への２つの下行閉鎖排出空間（１７３）を含み、
前記２つの下行閉鎖排出空間が、前記排出フード（１２１）の外側壁（１２５）の半径方向外寄りに延びる、
請求項２記載の排出装置（１００）。
【請求項４】
前記半径方向チャネル（１７０）が、上部排出空間（１７１）及び前記タービン復水器（１４０）への２つの下行排出空間（１７３）を含み、
前記２つの下行排出空間（１７３）が、前記仕切り壁（１６５）の軸方向下流に配置される、
請求項２記載の排出装置（１００）。
【請求項５】
前記２つの下行排出空間（１７３）が、前記排出フード（１２１）を貫通して延びるロータシャフト（１１２）を部分的に囲む、請求項４記載の排出装置（１００）。
【請求項６】
前記半径方向チャネル（１７０）の２つの下行排出空間（１７３）が、平行に整列される、請求項５記載の排出装置（１００）。
【請求項７】
前記半径方向チャネル（１７０）の２つの下行排出空間（１７３）の各々が、内側側壁（１７５）を含み、
開放空間（１７６）が、前記内側側壁（１７５）間に設けられる、
請求項６記載の排出装置（１００）。
【請求項８】
前記２つの下行排出空間（１７３）間の前記開放空間（１７６）が、前記軸受コーン（１４５）への人の接近を可能にするのに十分な大きさになっている、請求項７記載の排出装置（１００）。
【請求項９】
前記第２の排出径路（２９０）の後部壁（２７２）が、前記復水器に向かって軸方向上流方向かつ半径方向外寄り（２９５）に流れる湾曲下行排出空間（２７３）を含む、請求項２記載の排出装置（１００）。
【請求項１０】
該装置が、複式軸流蒸気タービンに設けられる、請求項１記載の排出装置（１００）。
【発明の詳細な説明】
【技術分野】
【０００１】
本発明は、総括的には蒸気タービンに関し、より具体的には、蒸気を復水器に効果的に拡散する排出フードに関する。
【背景技術】
【０００２】
軸流タービンからの排出蒸気の吐出、例えば復水器へのこの排出蒸気の吐出では、蒸気の流れを可能な限り滑らかにしかつそのような流れにおける渦、乱流及び非均一性の集積によるエネルギー損失を最小にすることが望ましい。通常、タービンからの排出流は、排出フード内に導かれ、そこからフードの吐出開口部を通してタービンの軸線に基本的に垂直な方向に復水器内に導かれる。タービンの排出口における軸方向流から排出フード内の半径方向流への滑らかな移行、従ってこのフードの吐出開口部における復水器内への滑らかな流れを達成することが望ましい。
【０００３】
そのような軸流タービンで使用する効果的な排出フードの構成では、それらの中で採用したあらゆるガイド手段内での加速損失を回避すること並びに排出フードの吐出開口部において比較的均一な流れ分布を達成してタービン内において最も効率的なエネルギー変換を行ないかつ該タービンに連結された復水器に排出蒸気を効果的に供給するようにすることが望ましい。
【０００４】
タービンからの排出に先立って、最終段バケットの出口平面内において比較的均一な円周方向及び半径方向圧力分布を達成することによって、タービンの最終段バケットにおける最適な効率を達成することもまた望ましい。通常、可能な限り短い軸方向長さを有するフードを採用しながらそれらの結果を達成して、タービントレーンの軸方向寸法を制限する試みが行われてきた。
【０００５】
従来技術では、タービンに連結した排出ダクト内において、該タービンからの蒸気の軸方向流をほぼ半径方向流に効果的に変更する滑らかな湾曲表面を有するベーンが採用されてきた。タービンからの排出の軸方向流を半径方向流に転換するそのような装置の実施例は、Ｃｈｒｉｓｔ他の米国特許第３５５２８７７号に示されている。Ｈｅｒｚｏｇの米国特許第４０１３３７８号のような軸流タービンのための従来技術の排出フードにおける更なる開発では、流れをさらに滑らかにする複数組のベーンが組入れられていた。排出フードは、その最終段バケットに隣接してタービンに連結された排出ダクト内に配置された第１の組のガイドベーンを含む。これらベーンは、軸方向からほぼ半径方向への蒸気流の比較的滑らかな移行を可能にするように湾曲している。ガイドリングが、第１の組のガイドベーンを円周方向に囲み、また複数の二次ベーンが、このガイドリングの周りに円周方向に間隔を置いて配置される。第１の組のベーンから二次ベーンに半径方向に吐出された蒸気は、該二次ベーンによって排出フードの吐出開口部に導かれる。二次ベーンは、ガイドリングの周りにほぼ等しい間隔を置いて配置されかつこれらベーンからの蒸気の吐出が異なる角度を生じるように異なる角度で湾曲している。これら吐出角度は、最終段バケットの出口平面にわたってかつ吐出開口部の平面にわたってほぼ均一な流れ分布を達成するように排出フードの吐出開口部に向けて蒸気を導くように選択される。しかしながら、そのようなベーンは１つの組の流れ条件に対して最適化させることができるが、それらベーンは、他の流れにおいては著しく有効性が低い状態で作動する可能性がある。
【０００６】
例えば、蒸気タービンでは、ディフューザが一般的に採用される。有効なディフューザは、タービン効率及び出力を向上させることができる。残念ながら、そのようなタービンに存在する複雑な流れパターン及びスペース制約で生じる設計上の問題によって、完全に有効なディフューザを設計することは殆ど不可能である。流れ面積の増加により蒸気速度を低下させるにつれて静圧を上昇させるというディフューザの能力を完全に又は部分的に破壊する流れ剥離を生じる結果となることが多い。軸流蒸気タービンで使用する下向き排出フードの場合には、ディフューザ吐出口から排出フード吐出口までの損失は、頂部から底部まで変化する。頂部において、流れの大部分は、それがディフューザ及び内側ケーシングの上方に位置しかつ次に下向き方向に方向転換するように１８０度方向転換しなければならない。従って、頂部における圧力は、側面におけるよりも高く、次に該側面における圧力は、底部におけるよりも高い。
【０００７】
図１は、蒸気タービンの一部分を示す複流蒸気タービンの部分断面斜視図である。その全体を参照符号１０で示す蒸気タービンは、複数のタービンバケット１４を取付けたロータ１２を含む。複数のダイヤフラム１８を取付けた内側タービンケーシング１６もまた、図示している。中央に配置されたほぼ半径方向の蒸気入口２０は、タービンの対向する軸方向側方におけるタービンバケット及びステータブレードの各々に蒸気を加えてロータを駆動する。ダイヤフラム１８のステータブレード及び軸方向に隣接するバケット１４は、様々な段を形成して流路を構成し、またタービンの最終段から蒸気を排出して下方の復水器（図示せず）内に流れるようにすることが分かるであろう。
【０００８】
外側排出フード２１もまた図示しており、該外側排出フード２１は、タービンの内側ケーシング及び軸受のような他の部品を囲みかつ支持している。タービンは、該タービンから排出された蒸気を出口２６内に案内して１以上の復水器に流れるようにする蒸気ガイド（図示せず）を含む。排出フードを使用してタービン、軸受及び付属部品を支持する場合には、排出蒸気径路は、蛇行しかつ圧力損失を受け、その結果として、性能及び効率の低下を伴うことになる。排出フード２１内に複数の支持構造体を設けて、排出フードを固定しかつ蒸気排出流を案内するのに役立てることができる。例示的な支持構造体３０は、蒸気タービン１０から蒸気排出流３５を受けかつ導くように配置される。蒸気の拡散は、排出フード２１内のボリュームに限定される。
【０００９】
排出フード２１は、上部フード２２及び下部フード２３を含む。上部及び下部フードは、水平座面３３に沿って接合される。下部フード２３の上部部分は、支持フレーム３６を構成した支持部材３４で補強される。支持フレーム３６が担う重量は、支持レッジ２７において基礎４０に移送される。
【００１０】
図２は、排出流路３５を含む複流蒸気タービン１０のための従来技術の排出フードの概略側面図を示している。蒸気タービンＬＰセクションは、入口領域２０、タービン段（ノズル１８及びバケット１４）、並びにディフューザ２５を備えた排出フード２１から構成される。排出フードの主な機能の１つは、静圧を回復させかつ最終段バケット１５から排出蒸気流３５を下方の復水器（図示せず）への復水器蒸気出口２６に案内することである。排出フード２１は、上部排出フード２２及び下部排出フード２３を含む。半径方向に非常に高い渦流と高い流量勾配とを有する可能性がある最終段バケット１５からの流れは、排出フード２１を通して復水器に流入する。流れ２８の一部は、下部排出フード２３を通って復水器に向かって直接下方に流れ、また残りの流れ２９は、上部排出フード２２を通って移動する。上部排出フード２２内の流れは、流れガイド３２によって導かれ、かつ内側ケーシング１６の上方で垂直方向上向き方向から下向き方向に１８０度方向転換し始めて復水器に到達する。これにより、上部排出フード内において蒸気ガイド２４の後方に強力な渦形成３８が生じることになり、蒸気ガイドとフードの外側壁との間の有効流れ面積が最小になり、それによって、蒸気径路の損失が一層増大することになる。この現象は、排出フードの上半分における流れ拡散を減少させ、排出フード性能の低下を引き起こし、これが、最終段バケット性能に直接的悪影響を与えることになる。
【先行技術文献】
【特許文献】
【００１１】
【特許文献１】米国特許第３５５２８７７号明細書
【特許文献２】米国特許第４０１３３７８号明細書
【特許文献３】米国特許第６４１９４４８号明細書
【発明の概要】
【発明が解決しようとする課題】
【００１２】
従って、上部排出フード内における渦流を排除し、かつ特に上部排出フード内において流れパターン及び拡散性能の改善を行なうことが望ましい。
【００１３】
本発明は、タービン復水器への半径方向チャネルが、上部排出フード内における渦を部分的に排除しかつフード性能を向上させる軸流蒸気タービンのための排出装置に関する。
【課題を解決するための手段】
【００１４】
手短に言うと、本発明の１つの態様によると、軸流蒸気タービンのための排出装置を提供する。本排出装置は、複数のタービン段を備えかつそれを通る軸方向蒸気流路及び最終タービン段の複数のバケットからの排出流出口を構成した内側タービンケーシングを含む。タービン復水器が、蒸気タービンの下方に取付けられる。排出フードが、蒸気タービンの下流端部に取付けられ、下流端部において、排出出口流がディフューザを通ってタービン復水器への二重径路内に流れる。軸受コーン及び複数の環状蒸気ガイドが、排出出口流のためのディフューザ流路を形成する。二重径路の第１の排出径路が、ディフューザの下部セクションを通って排出フードの下部セクションに延びかつ次に基本的に下向きに復水器に延びる。排出フードの上部セクションが、ディフューザの上部セクションと流体連通状態になっている。排出フードの下流半径方向チャネルが、排出フードの上部セクションと流体連通状態になっておりかつさらに下方のタービン復水器と流体連通状態になっている。二重径路の第２の排出径路が、ディフューザの上部セクションを通って排出フードの上部セクション内に流れ、軸方向下流方向に半径方向チャネルに流れ、かつ次に該半径方向チャネル通って下向きにタービン復水器に流れる。
【００１５】
本発明の別の態様によると、軸流蒸気タービンを提供する。本蒸気タービンは、複数のタービン段を備えかつそれを通る軸方向蒸気流路及び最終タービン段の複数のバケットからの排出流出口を構成した内側タービンケーシングを含む。タービン復水器が、蒸気タービンの下方に取付けられる。蒸気タービンのための基礎が設けられる。蒸気タービンの下流端部における排出フードは、二重排出径路の半径方向チャネルを通して内側タービンケーシングの排出流出口からタービン復水器に至る少なくとも１つの排出径路を含む。排出フードは、内側タービンケーシングの軸方向端部において該内側ケーシングに取付けられる。内側ケーシングが基礎により直接支持される蒸気タービン用の支持手段が設けられる。
【００１６】
本発明のこれらの及びその他の特徴、態様並びに利点は、図面全体を通して同じ参照符号が同様な部品を表している添付図面を参照しながら以下の詳細な記述を読むことにより、一層良好に理解されるようになるであろう。
【図面の簡単な説明】
【００１７】
【図１】従来技術の排出フードを備えた複流蒸気タービンの部分断面斜視図。
【図２】排出流径路を備えた複流蒸気タービンのための従来技術の排出フードの概略側面図。
【図３】軸流蒸気タービンのための本発明の排出装置の第１の実施形態の概略側面図。
【図４】上部排出フードを取外した状態における蒸気タービン及び排出装置の実施形態の上面図。
【図５】半径方向チャネルを備えた排出装置構造の３次元側面図。
【図６】半径方向チャネルを備えた排出装置構造の３次元端面図。
【図７】タービン内側ケーシング端部から見た排出装置の１つの側面の斜視図。
【図８】排出装置の第２の実施形態における第２の排出径路の側面断面図。
【図９】排出装置の１つの側面の斜視図。
【発明を実施するための形態】
【００１８】
本発明の以下の実施形態は、低圧（ＬＰ）排出フードにおける静圧回復の改善、及びそれによる蒸気タービンの発熱率又は出力の改善を含む多くの利点を有する。さらに、本発明により非常に単純なジオメトリ構成が得られ、それによって、内側ケーシングを覆う排出フードの外側ケーシングの一部分を排除することにより重量を軽減し、従ってコストを削減するのに役立つ。
【００１９】
フードのためのジオメトリ構成の別の利点は、内側タービンケーシングをタービンのための基礎上に載置するのを可能にし、これが、機械の信頼性を増大させることになる。
【００２０】
本発明は、フードの上半分内において流れを流れ運動量方向に案内する半径方向チャネルの概念を組入れている。この流れ方向のパターンにより、上部排出フード内における渦発生を減少させ、従って流れ拡散の増大を生じさせることになる。半径方向チャネルは、図３に示すように、排出ディフューザの端部壁の後方に配置して流れを排出フードの上半分からタービン復水器に向けて導くようにすることができる。この半径方向チャネル構成は、フードの上半分内における渦発生を最小にするのに役立つことになる。半径方向チャネル内には内側ケーシングが存在していないので、流れは、タービン復水器に向けて１８０度以上にわたり滑らかに移行することになり、これにより、流れ拡散が向上し、従って低圧セクションの効率改善が得られることになる。また、排出フードの上部セクション内における流れのより良好な拡散は、最終段バケット（ＬＳＢ）出口と排出流入口との間の均一な圧力勾配を達成するのに役立ち、このことは、ＬＳＢ性能に好影響を及ぼす。
【００２１】
本発明の第１の実施形態は、図３に示すような軸流蒸気タービンのための排出装置１２１を提供する。内側タービンケーシング１１６は、１以上のノズル１１４及びバケット１１８のタービン段を備えて、該内側タービンケーシング１１６を通る軸方向蒸気流路を構成する。排出出口流は、複数の最終段バケット１１５から流れる。排出フード１２５が、内側タービンケーシング１１６の軸方向下流端部１２７に結合される。タービン復水器１４０が、排出フード１２５の下方に取付けられて、排出蒸気を凝縮（復水）させかつサブクールするようにする。複式軸流蒸気タービンでは、排出フード１２５が、内側ケーシング１１６の各軸方向下流端部１２７に結合されて、１以上のタービン復水器１４０が、排出蒸気を受けるようになる。
【００２２】
排出フード１２５は、最終段バケット１１８からタービン復水器１４０への二重排出径路を構成する。排出フード１２５は、水平継手１３５（図４）に沿って従来通りに分離された上部排出フード１２２及び下部排出フード１２３を含むことができる。排出フード１２５は、ディフューザ１５０、下部セクション１５５、上部セクション１６０及び下流半径方向チャネル１７０を含む。最終段バケット１１８から排出フード１２５内に吐出された蒸気のための第１の排出径路１８０は、ディフューザ１５０の下部セクション１５１、排出フード１２５の下部セクション１５５、及び復水器１４０内への下向き吐出口を含む。内側ケーシング１１６の最終段バケット１１８から流れる第２の排出径路１９０は、ディフューザ１５０の上部セクション１５２、排出フード１２５の上部セクション１６０、及び下方のタービン復水器１４０に下向きに吐出する排出フード１２５の下流半径方向チャネル１７０を含む。
【００２３】
ディフューザ１５０は、軸受コーン１５５の内側壁１５４と蒸気ガイド１５６、１５７との間に形成される。軸受コーンの軸方向下流端部は、排出フードの上部セクションを下流セクションから分離する仕切り壁と係合する。
【００２４】
ディフューザ１５０の下半分１５１は、排出フード１２５の下部セクション１５５内に開口する。排出フードの下部セクション１５５は、タービン復水器１４０内に下方に開口する。ディフューザ１５０の上半分１５２は、排出フード１２５の上部セクション１６０内に開口する。排出フード１２５の上部セクション１６０の軸方向下流端部１６１から下流半径方向チャネル１７０への蒸気流のための開口部１６１が、上部排出フードケーシング壁１２５と円周方向仕切り壁１６５の外側端部１６６との間に設けられる。半径方向チャネル１７０は、排出フードの上部セクション１６０を下方のタービン復水器１４０と連結する。半径方向チャネル１７０は、仕切り壁１６５の平面と端部壁１７２との間に上部空間１７１を含む。上部空間１７１は、ロータシャフト１１２上方に半環状空間として形成することができる。
【００２５】
半径方向チャネル１７０はまた、タービン復水器１４０への２つの下行排出空間１７３を含むことができる。下行排出空間１７３は、仕切り壁１６５の軸方向下流に配置することができ、かつ上方の半径方向チャネルの上部セクション１７１にまた下方のタービン復水器１４０に半径方向に開口することができる。２つの下行排出空間１７３は共に、排出装置１２１及び仕切り壁１６５を貫通して軸方向に延びるロータシャフト１１２の周りに形成することができる。排出空間１７３は、仕切り壁１６５と端部壁１７４との軸方向間に位置させることができる。２つの下行排出空間１７３は、タービン復水器１４０に向けて垂直に下行するようにほぼ平行に整列させることができる。２つの下行排出空間１７３は、排出装置１２１の一体形部分とすることができ、或いは外部配管内に収容させることができる。下行排出空間１７３の各々は、それらの間に開放空間１７６が設けられた内側側壁１７５（図６）を含むことができる。半径方向チャネル１７０の下行排出空間１７３間における開放空間１７６は、軸受コーン１４５領域への人の接近を可能にするのに十分な大きさとすることができる。
【００２６】
排出フード１２５は、タービン内側ケーシング１１６の軸方向端部１２７と合わされるので、タービン内側ケーシングの上方及び下方並びに周りの空間１７７、１７８は、排出フードのために利用されない。図４は、上部排出フードを取外した状態における蒸気タービン１００の上面図を示している。空間１７７及び１７８は、タービン内側ケーシング１１６を基礎に直接取付けるのに利用可能である。タービン内側ケーシング１１６の各側面１８６からの少なくとも１つの支持アーム１８５が、基礎壁８０上のパッド１８７に延びることができる。排出フード１２５は、これもまた基礎壁８０上に着座して排出フードに対する支持を与える補強セクション１３５を含むことができる。
【００２７】
上部排出フード１２２を取外した状態では、蒸気ガイド１５７の頂部及び軸受コーン１４５の内側壁１４４の頂部表面が露出している。第２の排出径路に沿った排出流の一般的な流れパターン２００を上部蒸気ガイド１５７と軸受コーン１４５の内側壁１４４との間に図示しており、これら流れパターン２００は、内側壁１４４上を流れ続けかつ仕切り壁１６５の周り及び上方を流れ続ける。
【００２８】
半径方向チャネルは、図５〜図６に示すように、外側ケーシングの異なる形状及び外形として形成することができる。本発明の第２の実施形態では、半径方向チャネルの構成を修正している。半径方向チャネルの上部セクションとかつタービン復水器と流体連通状態になった該半径方向チャネルの２つの下行排出空間は、排出フードの各側面上に排出空間を含むことができる。各それぞれの側面の下行排出空間は、下方のタービン復水器への径路内において排出フードに対して半径方向外寄りに延びることができる。下行排出空間はさらに、軸方向上流に湾曲させて、該下行排出空間が下方のタービン復水器への垂直径路内において排出フードの外側半径方向ケーシングと平行に垂直方向に下行するようにすることができる。それに代えて、垂直下行排出空間は、排出フードの下部セクションからの復水器流に対して平行な径路でタービン復水器に下向きに排出する別個の閉鎖ボリューム内に収容することができる。
【００２９】
図５は、上部排出フードの外側ケーシングを取外した状態における排出装置構造１２１の３次元側面図を示している。タービン内側ケーシング１１６から排出された蒸気は、上部蒸気ガイド１５７と軸受コーン１４５との間の第２の排出径路１９０で排出フード１２５の上部排気セクション内に流れる。流れは、仕切り壁１６５の上方を該仕切り壁１６５と端部壁１７２との間の半径方向チャネル１７０の上部セクション１７１に流れ続ける。流れは、下方の復水器（図示せず）に至る半径方向チャネル１７０の排気セクション１７３を通って下向きに流れ続ける。
【００３０】
図６は、半径方向チャネルを備えた排出装置構造１２１の３次元端面図を示している。半径方向チャネル１７０は、その中に仕切り壁１６５（図３、図４、図５）の上方を通る排出蒸気流が流入する上部セクション１７１を含む。端部壁１７２のために、排出蒸気流は、下方の復水器（図３）に至る２つの下行排出空間１７３内に強制的に下向きに流れる。２つの下行排出空間は、内側半径方向表面（壁）１７５を含む。２つの下行排出空間１７３は、ロータシャフト１１２（図３、図４）の周りに折り曲がり、かつ軸受コーン領域への人の接近のための空間１７６をロータシャフトの下方に可能にすることができる。
【００３１】
図７は、タービン内側ケーシング端部から見た排出装置構造１２１の３次元断面斜視図を示している。排出流径路は、個々のボリューム内の破線として示している。第１の排出流径路１８０は、下部蒸気ガイド（図示せず）と軸受コーン（図示せず）との間のディフューザボリュームから下部排気ボリュームに流れる（至る）。第２の排出径路１９０は、上部蒸気ガイド（図示せず）と軸受コーン（図示せず）との間のディフューザボリュームから上部フードセクション１６０内に流れ、次に半径方向チャネル１７０の上部セクション１７１内に流れ、次に下方のタービン復水器（図示せず）への径路上の下行排気セクション１７３（その１つを図示する）内に流れる。
【００３２】
図８は、排出装置２０５の第２の実施形態における第２の排出径路の側面断面図を示している。内側ケーシング出口２１６の上半分からの第２の排出径路は、蒸気ガイド２５７と軸受コーン２４５の内側壁との間を排出フード２０５の第２の実施形態の上部セクション内に流れる。仕切り壁２６５は、軸受コーン２４５から半径方向に延びる。第２の排出流径路２９０は、排出フード２０５の上部セクション２６０から仕切り壁２６５と排出フードの外側ケーシング２２５との間の空間としての半径方向チャネル２７０に軸方向に流れる。第２の排出流径路２１０は、端部壁によって半径方向チャネル２７０の上部セクション２７１内に強制的に下向きに方向転換する。湾曲下行排出空間２７３はさらに、流れを下向きに、軸方向上流方向にかつ排出フード外側ケーシングに対して外寄りに導く。第２の排出流径路２９０は、排出フードの下部セクション２５５からの第１の排出径路２８０に平行な流れとして復水器に向けて下向きに流れ続ける。
【００３３】
図９は、タービン内側ケーシング端部から見た排出装置の１つの側面の斜視図を示している。内側ケーシング出口の下半分空間からの第１の排出流径路２８０は、蒸気ガイド２５６と軸受コーン（図示せず）の内側壁との間を排出フードの下部セクション内に流れ、次にタービン復水器に向けて下向きに流れる。内側ケーシング出口２５０の上半分からの第２の排出径路２９０は、蒸気ガイド２５７と軸受コーン（図示せず）の内側壁との間を排出フードの上部セクション２６０内に流れる。排出フードの上部セクション１６０からの第２の排出径路２９０は、仕切り壁２６５の上方を排出フードの半径方向チャネル２７０内に流れる。下流セクションの後部壁２７２は、流れを強制的に下向き方向にかつ湾曲下行排出空間２７３内に流し、この湾曲下行排出空間２７３は、排出フードの下部セクションからの排出径路の外寄りのかつ該排出径路に平行な空間２９５に向けて流れを半径方向外寄りにかつ軸方向上流方向に導く。下向き径路は、同じ空間内のものとするか又は壁で仕切った空間とすることができる。
【００３４】
本明細書では様々な実施形態を説明しているが、要素の様々な組合せ、変更又はその改良を行なうことができかつそれらが本発明の技術的範囲内にあることは、本明細書から分かるであろう。
【符号の説明】
【００３５】
１０  蒸気タービン
１２  ロータ
１４  バケット
１５  最終段バケット
１６  内側ケーシング
１８  ダイヤフラム
２０  蒸気入口
２１  排出フード
２２  上部排出フード
２３  下部排出フード
２４  蒸気ガイド
２６  出口
３０  支持構造体
３２  プレート
３５  蒸気排出流
３８  渦
１００  タービン排出装置
１２１  排出フード
１２２  上部排出フード
１２３  下部排出フード
１２５  排出フードの外側壁
１２７  蒸気タービン内側ケーシングの軸方向下流端部
１３５  支持レッジ
１４０  タービン復水器
１４４  内側壁
１４５  軸受コーン
１５０  ディフューザ
１５２  上部ディフューザセクション
１５１  下部ディフューザセクション
１６５  仕切り壁
１６６  円周方向外側端部
１７０  半径方向チャネル
１７１  上部排出空間
１７３  下行排出空間
１７２  端部壁
１７４  端部壁
１７５  内側側壁
１７６  開放空間
１７７、１７８  上方及び下方の空間
１８０  第１の排出径路
１８５  支持アーム
１９０  第２の排出径路
２０５  タービン排出装置
２１６  内側排出ケーシング
２２５  排出フードの外側壁
２４５  軸受コーン
２５０  タービン排出口の上半分
２５５  下部排出フード
２５６  蒸気ガイド
２６５  仕切り壁
２７０  半径方向チャネル
２７１  半径方向チャネルの上部セクション
２７２  後部壁
２７３  湾曲下行空間
２８０  第１の排出径路
２９０  第２の排出径路
２９５  外寄り空間
３０５  第１のタービンセクション
３１０  入口蒸気流
３１５  第１のタービン出口
３１６  上部部分
３１７  下部部分
３１８  第１の上部部分
３１９  第２の上部部分
３２０  上部部分からの外側排出径路
３２１  第１の上部外側排出径路
【図１】
2011137460.tif 000003
【図２】
2011137460.tif 000004
【図３】
2011137460.tif 000005
【図４】
2011137460.tif 000006
【図５】
2011137460.tif 000007
【図６】
2011137460.tif 000008
【図７】
2011137460.tif 000009
【図８】
2011137460.tif 000010
【図９】
2011137460.tif 000011
【外国語明細書】
2011137460000001.pdf